(57)【要約】【課題】不透明インキ版を含む画像データの信号値の変換処理に用いるＩＣＣプロファイルを作成することが可能なプロファイル作成装置を提供する。【解決手段】プロファイル作成装置は、プロセスカラーで定義された色空間を持つＩＣＣプロファイルであるＣＭＹＫプロファイルと、ＣＭＹＫプロファイルで指定したプロセスカラーを隠蔽するように刷り順で最後に刷られる不透明インキの測色値とを入力する入力手段と、ＣＭＹＫプロファイルに記述されたＣＭＹＫ信号値と測色値との対応関係を示す四次元色変換テーブルに、不透明インキのＳ信号値との格子点を追加したＣＭＹＫＳ信号値と測色値との対応関係を示す多次元色変換テーブルを作成する作成手段と、多次元色変換テーブルをＩＣＣプロファイルフォーマットに格納し、マルチチャンネルプロファイルとして出力するプロファイル出力手段とを有する。【選択図】図２
2017005596.tif 000002
【特許請求の範囲】
【請求項１】
プロセスカラーで定義された色空間を持つＩＣＣプロファイルであるＣＭＹＫプロファイルと、前記ＣＭＹＫプロファイルで指定したプロセスカラーを隠蔽するように刷り順で最後に刷られる不透明インキの測色値とを入力する入力手段と、
前記ＣＭＹＫプロファイルに記述されたＣＭＹＫ信号値と測色値との対応関係を示す四次元色変換テーブルに、前記不透明インキのＳ信号値との格子点を追加したＣＭＹＫＳ信号値と測色値との対応関係を示す多次元色変換テーブルを作成する作成手段と、
前記多次元色変換テーブルをＩＣＣプロファイルフォーマットに格納し、マルチチャンネルプロファイルとして出力するプロファイル作成手段とを有することを特徴とするプロファイル作成装置。
【請求項２】
前記多次元色変換テーブルの前記Ｓ信号値は０又は１００％の値を取り、
前記Ｓ信号値が１００％となる前記多次元色変換テーブルの格子点に格納される測色値は、前記ＣＭＹＫ信号値によらず、前記不透明インキの測色値とすることを特徴とする請求項１に記載のプロファイル作成装置。
【請求項３】
プロセスカラーで定義された色空間を持つＩＣＣプロファイルであるＣＭＹＫプロファイルと、前記ＣＭＹＫプロファイルで指定したプロセスカラーを隠蔽するように刷り順で最後に刷られる不透明インキの測色値とを入力する入力ステップと、
前記ＣＭＹＫプロファイルに記述されたＣＭＹＫ信号値と測色値との対応関係を示す四次元色変換テーブルに、前記不透明インキのＳ信号値との格子点を追加したＣＭＹＫＳ信号値と測色値との対応関係を示す多次元色変換テーブルを作成する作成ステップと、
前記多次元色変換テーブルをＩＣＣプロファイルフォーマットに格納し、マルチチャンネルプロファイルとして出力するプロファイル作成ステップとを有することを特徴とするプロファイル作成方法。
【請求項４】
前記多次元色変換テーブルの前記Ｓ信号値は０又は１００％の値を取り、
前記Ｓ信号値が１００％となる前記多次元色変換テーブルの格子点に格納される測色値は、前記ＣＭＹＫ信号値によらず、前記不透明インキの測色値とすることを特徴とする請求項３に記載のプロファイル作成方法。
【請求項５】
コンピュータを備えるプロファイル作成装置の前記コンピュータが実行可能なプロファイル作成プログラムであって、
前記コンピュータを、
プロセスカラーで定義された色空間を持つＩＣＣプロファイルであるＣＭＹＫプロファイルと、前記ＣＭＹＫプロファイルで指定したプロセスカラーを隠蔽するように刷り順で最後に刷られる不透明インキの測色値とを入力する入力手段と、
前記ＣＭＹＫプロファイルに記述されたＣＭＹＫ信号値と測色値との対応関係を示す四次元色変換テーブルに、前記不透明インキのＳ信号値との格子点を追加したＣＭＹＫＳ信号値と測色値との対応関係を示す多次元色変換テーブルを作成する作成手段と、
前記多次元色変換テーブルをＩＣＣプロファイルフォーマットに格納し、マルチチャンネルプロファイルとして出力するプロファイル作成手段として機能させるためのプロファイル作成プログラム。
【請求項６】
前記多次元色変換テーブルの前記Ｓ信号値は０又は１００％の値を取り、
前記Ｓ信号値が１００％となる前記多次元色変換テーブルの格子点に格納される測色値は、前記ＣＭＹＫ信号値によらず、前記不透明インキの測色値とすることを特徴とする請求項５に記載のプロファイル作成プログラム。
【発明の詳細な説明】
【技術分野】
【０００１】
本発明は、不透明インキ版を含む画像データの信号値の変換処理に用いる色変換テーブル（プロファイル）を作成するためのプロファイル作成装置、プロファイル作成方法及びプロファイル作成プログラムに関する。
【背景技術】
【０００２】
これまで金インキや銀インキを使用した有版印刷物の意匠性をＤＴＰ（Ｄｅｓｋｔｏｐ  Ｐｕｂｌｉｓｈｉｎｇ）工程で確認したい場合は、インクジェットプリンタやＤＤＣＰ（Ｄｉｒｅｃｔ  Ｄｉｇｉｔａｌ  Ｃｏｌｏｒ  Ｐｒｏｏｆ）等の無版のデジタル出力機を使用してその再現をシミュレーションするのが一般的である。
【０００３】
特許文献１では、シアン（Ｃ）、マゼンタ（Ｍ）、イエロー（Ｙ）、ブラック（Ｋ）のプロセスカラー４色に、特色を加えた有版多色印刷物の無版デジタル出力による再現が可能なＲＩＰ（Ｒａｓｔｅｒ  Ｉｍａｇｅ  Ｐｒｏｃｅｓｓｏｒ）システムが開示されている。
【先行技術文献】
【特許文献】
【０００４】
【特許文献１】特開２００７−１１５１６８号公報
【発明の概要】
【発明が解決しようとする課題】
【０００５】
しかしながら、上記ＲＩＰシステムでは、透明度の設定が不要な不透明なインキの印刷シミュレーションにおいても、透過度やトーンを都度設定する必要があり煩雑な作業であった。そのため、下地色の影響を受けないことが明らかな不透明インキにおいては、上記専用ＲＩＰによる設定に頼ること無く、ＩＣＣ（Ｉｎｔｅｒｎａｔｉｏｎａｌ  Ｃｏｌｏｒ  Ｃｏｎｓｏｒｔｉｕｍ）プロファイルに対応の汎用ＲＩＰを用いた簡便な印刷再現シミュレーションが求められていた。
【０００６】
本発明は、不透明インキ版を含む画像データの信号値の変換処理に用いるＩＣＣプロファイルを作成することが可能なプロファイル作成装置、プロファイル作成方法及びプロファイル作成プログラムを提供することを目的とする。
【課題を解決するための手段】
【０００７】
本発明は、プロセスカラーで定義された色空間を持つＩＣＣプロファイルであるＣＭＹＫプロファイルと、ＣＭＹＫプロファイルで指定したプロセスカラーを隠蔽するように刷り順で最後に刷られる不透明インキの測色値とを入力する入力手段と、ＣＭＹＫプロファイルに記述されたＣＭＹＫ信号値と測色値との対応関係を示す四次元色変換テーブルに、不透明インキのＳ信号値との格子点を追加したＣＭＹＫＳ信号値と測色値との対応関係を示す多次元色変換テーブルを作成する作成手段と、多次元色変換テーブルをＩＣＣプロファイルフォーマットに格納し、マルチチャンネルプロファイルとして出力するプロファイル出力手段とを有することを特徴とするプロファイル作成装置である。
【０００８】
また、多次元色変換テーブルのＳ信号値は０又は１００％の値を取り、Ｓ信号値が１００％となる多次元色変換テーブルの格子点に格納される測色値は、ＣＭＹＫ信号値によらず、不透明インキの測色値としてもよい。
【０００９】
また、本発明は、プロセスカラーで定義された色空間を持つＩＣＣプロファイルであるＣＭＹＫプロファイルと、ＣＭＹＫプロファイルで指定したプロセスカラーを隠蔽するように刷り順で最後に刷られる不透明インキの測色値とを入力する入力ステップと、ＣＭＹＫプロファイルに記述されたＣＭＹＫ信号値と測色値との対応関係を示す四次元色変換テーブルに、不透明インキのＳ信号値との格子点を追加したＣＭＹＫＳ信号値と測色値との対応関係を示す多次元色変換テーブルを作成する作成ステップと、多次元色変換テーブルをＩＣＣプロファイルフォーマットに格納し、マルチチャンネルプロファイルとして出力するプロファイル出力ステップとを有することを特徴とするプロファイル作成方法である。
【００１０】
また、多次元色変換テーブルを作成する作成ステップにおいて、多次元色変換テーブルのＳ信号値は０又は１００％の値を取り、Ｓ信号値が１００％となる多次元色変換テーブルの格子点に格納される測色値は、ＣＭＹＫ信号値によらず、不透明インキの測色値としてもよい。
【００１１】
また、本発明は、コンピュータを備えるプロファイル作成装置のコンピュータが実行可能なプロファイル作成プログラムであって、コンピュータに、プロセスカラーで定義された色空間を持つＩＣＣプロファイルであるＣＭＹＫプロファイルと、ＣＭＹＫプロファイルで指定したプロセスカラーを隠蔽するように刷り順で最後に刷られる不透明インキの測色値とを入力する入力ステップと、ＣＭＹＫプロファイルに記述されたＣＭＹＫ信号値と測色値との対応関係を示す四次元色変換テーブルに、不透明インキのＳ信号値との格子点を追加したＣＭＹＫＳ信号値と測色値との対応関係を示す多次元色変換テーブルを作成する作成ステップと、多次元色変換テーブルをＩＣＣプロファイルフォーマットに格納し、マルチチャンネルプロファイルとして出力するプロファイル出力ステップとを実行させることを特徴とするプロファイル作成プログラムである。
【００１２】
また、多次元色変換テーブルを作成する作成ステップにおいて、コンピュータに、多次元色変換テーブルのＳ信号値は０又は１００％の値を取らせ、Ｓ信号値が１００％となる多次元色変換テーブルの格子点に格納させる測色値は、ＣＭＹＫ信号値によらず、不透明インキの測色値としてもよい。
【発明の効果】
【００１３】
本発明によれば、不透明インキ版を含む画像データの信号値の変換処理に用いるＩＣＣプロファイルを作成することが可能なプロファイル作成装置、プロファイル作成方法及びプロファイル作成プログラムを実現できる。
【図面の簡単な説明】
【００１４】
【図１】本発明の一実施形態におけるプロファイル作成装置の一例を示すブロック図である。
【図２】本発明の一実施形態における画像出力システムの一例を示す構成図である。
【図３】実施例におけるＣＭＹＫプロファイルの色変換テーブルに記述されたＣＭＹＫ信号値と測色値との関係を示す図である。
【図４】実施例における多次元色変換テーブルに記述されたＣＭＹＫＳ信号値と測色値との関係を示す図である。
【図５】実施例における入力画像データ及び印刷用画像データの一例を示す図である。
【発明を実施するための形態】
【００１５】
以下、本発明の一実施形態によるプロファイル作成装置について図面を参照して説明する。
【００１６】
図１は、本実施形態におけるプロファイル作成装置の一例を示すブロック図である。図１に示されるように、プロファイル作成装置１０は、ＣＭＹＫプロファイル入力部１１と、不透明インキ測色値入力部１２と、多次元色変換テーブル作成部１３と、マルチチャンネルプロファイル出力部１４とを備える。プロファイル作成装置１０は、ＣＰＵと、メモリ（ＲＡＭ）と、不揮発性メモリやハードディスク等の記憶装置（いずれも図示せず）とを備えるコンピュータによって構成され、ＣＰＵが記憶媒体に格納されたプログラムを読み出して実行することにより、当該コンピュータをＣＭＹＫプロファイル入力部１１と、不透明インキ測色値入力部１２と、多次元色変換テーブル作成部１３と、マルチチャンネルプロファイル出力部１４として機能させる。
【００１７】
ＣＭＹＫプロファイル入力部１１は、再現対象となる印刷機で実際にプロセス印刷したカラーチャートの測色値から作成したＩＣＣプロファイルを入力し、このプロファイルに記述されたＣＭＹＫ信号値（０〜１００％）と測色値（例えば、Ｌ＊ａ＊ｂ＊値）との対応関係を示す四次元色変換テーブルを取得する。取得した色変換テーブル上の格子点の数は、各次元がＮ点（Ｎグリッド）で均等に区切られている場合、Ｎ４（Ｎの４乗）となる。
【００１８】
不透明インキ測色値入力部１２は、後述する測色装置２０で測定した、ＣＭＹＫプロファイル入力部１１で指定したプロセスカラーを隠蔽するように、刷り順で最後に刷られる不透明インキの測色値（例えば、Ｌ＊ａ＊ｂ＊値）を入力する。この値は、後述するＳ信号値が１００％のデータに対応付けられる測色値である。
【００１９】
多次元色変換テーブル作成部１３は、ＣＭＹＫプロファイル入力部１１で取得したＣＭＹＫ信号値と測色値との対応関係を示す四次元色変換テーブルに、不透明インキ測色値入力部１２で取得したＳ信号値との格子点を追加した、ＣＭＹＫＳ信号値と測色値との対応関係を示す多次元色変換テーブルを作成する。プロセスカラーを隠蔽するように刷り順で最後に刷られる不透明インキは下地色の影響を受けないため、Ｓ信号値は０又は１００％の値で表現される。このため、多次元色変換テーブルの全格子点数は２×Ｎ４となる。
【００２０】
Ｓ信号値が０％となる多次元色変換テーブルの格子点に格納される測色値は、ＣＭＹＫプロファイル入力部１１で取得した四次元色変換テーブルの格子点に格納された測色値である。
【００２１】
一方、Ｓ信号値が１００％となる多次元色変換テーブルの格子点に格納される測色値は、ＣＭＹＫ各信号値によらず、不透明インキ測色値入力部１１で取得したＳ信号値１００％の測色値である。
【００２２】
マルチチャンネルプロファイル出力部１４は、多次元色変換テーブル作成部１３において作成した多次元色変換テーブルをＩＣＣプロファイルフォーマットに格納し、マルチチャンネルプロファイルとして後述するＲＩＰ装置３０に出力する。
【００２３】
次に、本実施形態における画像出力システムについて図面を参照して説明する。
【００２４】
図２は、本実施形態における画像出力システムの一例を示す構成図である。図２に示されるように、画像出力システムは、プロファイル作成装置１０と、測色装置２０と、ＲＩＰ装置３０と、画像出力装置４０とにより構成される。
【００２５】
プロファイル作成装置１０は、上述したように、既存のＣＭＹＫプロファイルと後述する測色装置２０で測定した不透明インキの測色値とを入力し、ＣＭＹＫプロファイルに記述された四次元色変換テーブルに不透明インキのＳ信号値との格子点を追加した多次元色変換テーブルを作成し、マルチチャンネルプロファイルとして出力するコンピュータである。プロファイル作成装置１０は、マルチチャンネルプロファイルを後述するＲＩＰ装置３０に出力する。
【００２６】
測色装置２０は、印刷用紙等の媒体に印刷されたカラーチャートの色を測定する装置であり、例えば、分光光度計などを用いることができる。
【００２７】
ＲＩＰ装置３０は、ＩＣＣプロファイルフォーマットに準ずるマルチチャンネルプロファイルを認識できるＲＩＰを有し、１種類以上の色出力機器に対する出力処理サーバとして機能するコンピュータである。ＲＩＰ装置３０は、入力した画像データを色出力機器に適した印刷用データに変換し、該印刷用データを画像出力装置４０に供給する。
【００２８】
画像出力装置４０は、ＲＩＰ装置から供給された印刷用データを印刷する画像出力装置である。画像出力機器４０として、オフセット印刷機やインクジェットプリンタ等を用いることができる。
【００２９】
本実施形態に係るプロファイル作成装置、プロファイル作成方法及びプロファイル作成プログラムによれば、不透明インキの透過度やトーンを都度設定する必要がないので、不透明インキ版を含む画像データの信号値の変換処理に用いるＩＣＣプロファイルを簡便に作成することが可能となる。また、当該ＩＣＣプロファイルを用いることで、不透明インキ版の透過度を任意に設定するための専用ＲＩＰを必要とせず、画像データをインクジェットプリンタ等の画像出力機器により出力することが可能となる。
【実施例】
【００３０】
次に、図３〜図５を参照して、ＣＭＹＫプロセスカラー４色に、下地の色を隠蔽する不透明な金インキ（Ｓ）を加えたＣＭＹＫＳプロファイルを作成する実施例について説明する。
【００３１】
まず、プロファイル作成装置１０において、ＣＭＹＫプロファイル入力部１１はＩＣＣプロファイルを入力し、このプロファイルに記述された四次元色変換テーブルを取得する。図３は、本実施例におけるＣＭＹＫプロファイルの色変換テーブルに記述されたＣＭＹＫ信号値と測色値との関係を示す図である。本実施例において、ＣＭＹＫプロファイルの色変換テーブルは各色共に１０％刻みで区切られていて、色変換テーブルの格子点数は（１１４＝）１４６４１となる。また、不透明インキ測色値入力部１２は、測色装置２０で測定した不透明な金インキ（Ｓ）の測色値を入力し、Ｓ信号値が１００％のデータの測色値として記憶する。
【００３２】
次に、多次元色変換テーブル作成部１３が、ＣＭＹＫプロファイル入力部１１で取得した四次元色変換テーブルに、不透明インキ測色値入力部１２で取得したＳ信号値との格子点を追加した、多次元色変換テーブルを作成する。図４は、本実施例における多次元色変換テーブルに記述されたＣＭＹＫＳ信号値と測色値との関係を示す図であり、ＣＭＹＫプロファイルの色変換テーブルに金インキのチャンネルを加えた、ＣＭＹＫＳの多次元色変換テーブルを示す。Ｓ信号値は０又は１００％の値で示される２グリッドのチャンネルであり、多次元色変換テーブルの格子点数は（２×１１４＝）２９２８２となる。次に、作成した多次元色変換テーブルをＩＣＣプロファイルフォーマットに格納し、マルチチャンネルプロファイルをＲＩＰ装置３０へ出力する。
【００３３】
図５は、本実施例における入力画像データ及び印刷用画像データの一例を示す図である。図５（Ａ）は、ＲＩＰ装置に入力された、シアン画像５１、マゼンタ画像５２、金画像５３により構成される入力画像データとその概要を示す図であり、図５（Ｂ）は、マルチチャンネルプロファイルに基づき変換された印刷用画像データである。ＲＩＰ装置３０は、図５（Ａ）に示す入力画像データを、プロファイル作成装置１０から出力されたマルチチャンネルプロファイルに基づき、図５（Ｂ）に示す画像出力装置４０に適した印刷用画像データに変換し、画像出力装置４０に供給する。画像印刷装置４０は、供給された印刷用画像データを印刷する。
【００３４】
図５（Ｂ）に示す通り、金画像には不透明な金インキを割り当てているため、上記印刷物において、シアン画像、マゼンタ画像と重複する領域では、これらの色は金インキにより隠蔽される。一方で、シアン画像とマゼンタ画像とが重複する領域では、マゼンタ画像がシアン画像を隠蔽することなく、シアンとマゼンタの重ね色が描画される。
【産業上の利用可能性】
【００３５】
本発明によれば、不透明インキ版を含む画像データの信号値の変換処理に用いるＩＣＣプロファイルを作成することが可能なプロファイル作成装置、プロファイル作成方法及びプロファイル作成プログラムに利用できる。
【符号の説明】
【００３６】
１０…プロファイル作成装置
１１…ＣＭＹＫプロファイル入力部
１２…不透明インキ測色値入力部
１３…多次元色変換テーブル作成部
１４…マルチチャンネルプロファイル出力部
２０…測色装置
３０…ＲＩＰ装置
４０…画像出力装置
５１…シアン画像
５２…マゼンタ画像
５３…金画像
【図１】
2017005596.tif 000003
【図２】
2017005596.tif 000004
【図３】
2017005596.tif 000005
【図４】
2017005596.tif 000006
【図５】
2017005596.tif 000007